(57)【要約】【課題】放熱性を向上できる照明装置を提供する。【解決手段】回路基板４４０と、回路基板４４０の下面に設けられた点光源４４１と、導光部材４１とを備える。導光部材４１が、縦長で、前面が出光部４１２となり且つ上端部が点光源４４１から発せられた光が導入される入光部４１０となり、入光部４１０から導入された光を前側に反射して出光部４１２から出射するものである。回路基板４４０に沿って設けられて回路基板４４０に熱的に接続される放熱板４６（放熱部）をさらに備える。放熱板４６の上面の少なくとも一部が、回路基板４４０によって遮蔽されない放熱面とされる。【選択図】図１
2014212075.tif 000002
【特許請求の範囲】
【請求項１】
回路基板と、
この回路基板の下面に設けられた点光源と、
導光部材とを備え、
前記導光部材が、縦長で、前面が出光部となり且つ上端部が前記点光源から発せられた光が導入される入光部となり、前記入光部から導入された光を前側に反射して前記出光部から出射するものであり、
前記回路基板に沿って設けられて前記回路基板に熱的に接続される放熱部をさらに備え、この放熱部の上面の少なくとも一部が、前記回路基板によって遮蔽されない放熱面とされたことを特徴とする照明装置。
【請求項２】
前記放熱部が前記回路基板の上面に沿って設けられたことを特徴とする請求項１に記載の照明装置。
【請求項３】
前記放熱部が前記回路基板よりも水平方向外側に広げられたことを特徴とする請求項１又は請求項２に記載の照明装置。
【請求項４】
前記放熱部が平板状に形成されたことを特徴とする請求項１乃至３のいずれか１項に記載の照明装置。
【請求項５】
前記点光源が発光ダイオードであることを特徴とする請求項１乃至４のいずれか１項に記載の照明装置。
【発明の詳細な説明】
【技術分野】
【０００１】
本発明は、放熱部を備えた照明装置に関する。
【背景技術】
【０００２】
特許文献１には、照明装置が記載されている。この照明装置は、ミラーキャビネットの扉に設けられる縦長のベース材と、ベース材の前面に沿って固定されるＬＥＤユニットとを備えている。ＬＥＤユニットは、上下に一直線状に並べて設けられた多数のＬＥＤを有しており、これら多数のＬＥＤを発光させて扉の前方を照らせるようになっている。また、ベース材はアルミニウム製であり、ＬＥＤの発光時に発生する熱はベース材に伝えられて放散されるようになっている。
【先行技術文献】
【特許文献】
【０００３】
【特許文献１】特開２００７−９８０３４
【発明の概要】
【発明が解決しようとする課題】
【０００４】
ところで、特許文献１に記載の照明装置にあっては、ベース材の下部の放熱によって温められた空気が上昇しやすい。このため、ベース材の上部においては、前記温められた空気の熱的な影響を受けて放熱がされ難くなり、この結果、照明装置の不具合や照明装置が設けられた箇所に熱が籠もったりすることが懸念される。
【０００５】
本発明は前記事情に鑑みてなされたものであって、放熱性を向上できる照明装置を提供することを課題とする。
【課題を解決するための手段】
【０００６】
上記課題を解決するために本発明の照明装置は、回路基板と、この回路基板の下面に設けられた点光源と、導光部材とを備え、前記導光部材が、縦長で、前面が出光部となり且つ上端部が前記点光源から発せられた光が導入される入光部となり、前記入光部から導入された光を前側に反射して前記出光部から出射するものであり、前記回路基板に沿って設けられて前記回路基板に熱的に接続される放熱部をさらに備え、この放熱部の上面の少なくとも一部が、前記回路基板によって遮蔽されない放熱面とされたことを特徴とする。
【０００７】
また、前記放熱部が前記回路基板の上面に沿って設けられることが好ましい。
【０００８】
また、前記放熱部が前記回路基板よりも水平方向外側に広げられることが好ましい。
【０００９】
また、前記放熱部が平板状に形成されることが好ましい。
【００１０】
また、前記点光源が発光ダイオードであることが好ましい。
【発明の効果】
【００１１】
本発明にあっては、放熱部の上側を向いた放熱面から放散された熱によって加熱された空気が上昇して放熱部から離れるようにすることができ、これによって放熱部の放熱性を向上することができる。
【図面の簡単な説明】
【００１２】
【図１】本発明の実施形態の一例の照明装置及びベースの分解斜視図である。
【図２】同上の照明装置を具備する洗面化粧台の正面図である。
【図３】同上の洗面化粧台のキャビネットの水平断面図である。
【図４】図３のＡ部拡大図である。
【図５】キャビネット本体に照明装置を配置した状態を示す斜視図である。
【図６】同上の扉を取り付ける前のキャビネットの要部正面図である。
【図７】図６のＢ−Ｂ′断面図である。
【図８】同上の照明装置の斜視図である。
【図９】同上のベースに取り付けた照明装置の底面図である。
【図１０】同上の照明装置の放熱板カバーを示し、（ａ）は正面図であり、（ｂ）は底面図である。
【図１１】同上の照明装置をキャビネット本体に取り付ける様子を示した斜視図である。
【図１２】他例の実施形態の照明装置を設けた浴室を示す説明図である。
【発明を実施するための形態】
【００１３】
以下、本発明を添付図面に基づいて説明する。本発明の一実施形態の照明装置４は、図３に示されるように、キャビネット１に設けられる。キャビネット１は、その前面を構成する扉６を鏡扉としたミラーキャビネットである。キャビネット１は、図２に示されるように、洗面台２の上方に設けられ、洗面台２とキャビネット１とで洗面化粧台が構成される。
【００１４】
洗面台２はその後面側を部屋の壁に沿わせた状態で床上に設置される。洗面台２の上部には、上方に開口する洗面ボウル（不図示）が設けられている。洗面台２の上面後端部には、上方に突出した立ち上がり壁部２０が形成されている。
【００１５】
キャビネット１は、図３に示されるように、キャビネット本体３、照明装置４、及び扉６を備えている。キャビネット本体３は例えば合成樹脂製である。キャビネット本体３は、後面側を前記部屋の壁に沿わせた状態で壁に固定され、洗面台２の立ち上がり壁部２０の上方に配置される。キャビネット本体３は、洗面台２の立ち上がり壁部２０よりも前方に突出して配置される。
【００１６】
キャビネット本体３は、上面を構成する天井部３０（図１１参照）、下面を構成する底部３１、側面を構成する両側の側壁部３２、及び後面を構成する後壁部３３を有している。
【００１７】
キャビネット本体３には、前方に開放された収納空間３４が複数形成されている。本実施形態では、収納空間３４がキャビネット本体３の左右方向における両側と中央の計三箇所に設けられている。
【００１８】
キャビネット本体３の後壁部３３において両側壁部３２の間の部分の両側には、前方に突出する仕切壁部３５が形成されている。縦長の各仕切壁部３５は、天井部３０から底部３１にまで亘っている。
【００１９】
以下、図２における右側を右側として説明する。図３に示されるように、キャビネット本体３の左側の収納空間３４は、左側の側壁部３２、左側の仕切壁部３５、天井部３０、及び底部３１によって囲まれた空間である。右側の収納空間３４は、右側の側壁部３２、右側の仕切壁部３５、天井部３０、及び底部３１によって囲まれた空間である。中央の収納空間３４は、両仕切壁部３５、天井部３０、及び底部３１によって囲まれた空間である。すなわち、キャビネット本体３には、天井部３０、底部３１、両側の側壁部３２、及び後壁部３３で囲まれた空間を縦長の仕切壁部３５で仕切ることで、内部が収納空間３４となった収納部が複数形成されている。
【００２０】
照明装置４は、図２〜図４に示されるようにキャビネット本体３の前部（前面側）に設けられている。本実施形態ではキャビネット１の左右に並ぶ収納空間３４の間の部位である各仕切壁部３５に照明装置４が設けられている。
【００２１】
各照明装置４は、図４に示されるように、仕切壁部３５の前面に設けられたベース７を介してキャビネット本体３に取り付けられている。ベース７は縦長であって、断面形状が前方に開口する溝形に形成されており、溝奥部を構成する奥片部７１と、奥片部７１の両側から前方に突出した側片部７０とを有している。ベース７には両側片部７０と奥片部７１とで前方及び上下に開口する収納溝７２が形成されている。
【００２２】
図１１に示されるように、キャビネット本体３の天井部３０の上面において各仕切壁部３５に対応する箇所には、下方に凹んだ凹部３７が形成されている。換言すれば、天井部３０の上面において、凹部３７以外の箇所は、凹部３７の底面より上方に突出した突出部となっている。凹部３７は平面視で前後方向に長い矩形状に形成されており、上方及び前方に開口している。
【００２３】
図４及び図１１に示されるように、キャビネット本体３の天井部３０及び底部３１において各仕切壁部３５に対応する箇所の前面には、上下に貫通する嵌込溝部３６が形成されている。図１１に示されるように、天井部３０の嵌込溝部３６は、各凹部３７の底面の前端部の一側端部を構成する部分に形成されており、凹部３７の底面より上方に開口している。また、図４に示される底部３１の各嵌込溝部３６は、底部３１の下面より下方に開口している。
【００２４】
ベース７の奥片部７１は、仕切壁部３５の前面に沿って配置されている。図１１に示されるように、ベース７の上端部は、キャビネット本体３の天井部３０の嵌込溝部３６に嵌め込まれており、ベース７の収納溝７２は凹部３７の底面より上方に開口している。図４に示されるように、ベース７の下端部は、キャビネット本体３の底部３１の嵌込溝部３６に嵌め込まれており、ベース７の収納溝７２は底部３１の下面より下方に開口している。
【００２５】
ベース７の奥片部７１は、前方より仕切壁部３５にねじ止めされている。これにより、キャビネット本体３において左右に並ぶ収納空間３４の間の部位である仕切壁部３５には、前方に開口する収納溝７２が設けられている。
【００２６】
照明装置４は、図１、図８、及び図９に示されるように、ホルダー４０、導光部材４１、下キャップ４２、上キャップ４３、光源ブロック４４、放熱シート４５、放熱板４６、表面カバー４７、及び放熱板カバー４８を有している。このうち、放熱板４６は光源ブロック４４で発生した熱を放熱する放熱部を構成し、放熱板カバー４８は放熱板４６を覆う放熱部カバーを構成している。
【００２７】
図１に示されるように、ホルダー４０は縦長の部材であり、その上下長さはベース７と略同じである。ホルダー４０には、前方に開口する保持溝部４００が上下に亘って形成されている。
【００２８】
導光部材４１は縦長棒状に形成され、ホルダー４０と略同じ長さを有している。導光部材４１は、例えばアクリル樹脂やポリカーボネート樹脂等の透明な樹脂を用いて形成されており、透光性を有している。導光部材４１は、図４に示されるようにホルダー４０の保持溝部４００に嵌め込まれてホルダー４０に保持されている。
【００２９】
導光部材４１の上端面（図１参照）は、ホルダー４０の上方に露出している。導光部材４１の上端面は、光源ブロック４４が有する点光源４４１から発せられた光が入射する入光部４１０を構成している。
【００３０】
図４に示されるように、導光部材４１の後面には、反射部４１１が設けられている。反射部４１１は、例えば導光部材４１の後面に印刷や蒸着によって反射性の物質を設けたり、微細な凹凸を設けたり、二色成形によって反射部分を設けたりすることによって形成される。入光部４１０から導光部材４１に入射した光は、導光部材４１の内部を下方に向かって進行する過程で反射部４１１において拡散して前側に反射するようになっている。
【００３１】
導光部材４１の前面は、反射部４１１で反射した光を前側に出射する出光部４１２を構成している。出光部４１２は、ホルダー４０の前方に露出している。
【００３２】
図９に示される下キャップ４２は、ホルダー４０の下端面に沿って配置されている。下キャップ４２は、ねじ止めによってホルダー４０の下端部に取り付けられている。下キャップ４２は、ホルダー４０に保持された導光部材４１の直下に位置し、導光部材４１の下方への移動を規制している。
【００３３】
図１に示される上キャップ４３は、ホルダー４０の上端部に被せるように嵌め込まれている。上キャップ４３は、ホルダー４０に保持された導光部材４１の直上に位置し、導光部材４１の上方への移動を規制する。
【００３４】
上キャップ４３において導光部材４１の入光部４１０に対向する箇所には、上下に貫通する孔又は切欠部分で構成された窓部４３０が形成されている。上キャップ４３上には、光源ブロック４４が有する回路基板４４０がその一面を下に向けて載置されており、回路基板４４０の下面の一部は窓部４３０に対向している。
【００３５】
回路基板４４０には、点光源４４１が設けられている。点光源４４１は、発光ダイオード（ＬＥＤ（Light  Emitting  Diode））であって、回路基板４４０の下面において窓部４３０に臨む部分に、下方に光を照射する向きで実装されている。点光源４４１は、上キャップ４３の窓部４３０に配置され、導光部材４１の入光部４１０に対向している。点光源４４１と回路基板４４０とで、照明装置４の光源ブロック４４が構成されている。なお、本実施形態の点光源４４１は、光源ブロック４４の発熱量を抑えるために回路基板４４０に一つだけ設けられているが、複数設けられてもよい。
【００３６】
回路基板４４０の上面には、放熱シート４５が積層されている。例えばシリコーン等の熱伝導性の優れた材料によって形成されている。放熱シート４５は、平面視において回路基板４４０と同一形状に形成され、その全体が回路基板４４０の全体と重複している。
【００３７】
放熱板４６は、放熱性の優れた材料、例えばアルミニウム、鉄、銅等の金属によって形成されている。放熱板４６は、前後方向に長い略矩形の平板状に形成されており、その板面を下方に向けた状態で回路基板４４０の上方に配置されている。
【００３８】
放熱板４６の前端部の一方の側端部は、前方に突出した突出部４６０となっている。平面視略矩形状の放熱板４６の突出部４６０側の角部において、突出部４６０を含めた前側の部分は挟持部４６１となり、挟持部４６１よりも後側の部分は取付部４６２となっている。
【００３９】
放熱板４６の取付部４６２は、上キャップ４３上に直接載置されている。取付部４６２には、固着具である複数のビス５０が上方から挿通され、これらビス５０が上キャップ４３を通してホルダー４０にねじ込まれている。これにより、放熱板４６は、ホルダー４０に取り付けられている。また、上キャップ４３は、ホルダー４０とこれにビス５０で取り付けられた取付部４６２の両者で上下に挟み込まれて固定されている。
【００４０】
放熱板４６は、回路基板４４０の一方の板面である上面に沿って水平に配置されている。詳しくは、放熱板４６は、挟持部４６１が回路基板４４０上の放熱シート４５の上面に沿って配置されている。
【００４１】
放熱板４６は、平面視において導光部材４１や回路基板４４０よりも面積が大きくなっており、挟持部４６１を除く部分が平面視において回路基板４４０の外側に突出している。すなわち、放熱板４６は、回路基板４４０よりも水平方向外側に広げられている。
【００４２】
放熱板４６の挟持部４６１は、放熱シート４５を介して回路基板４４０上に配置されている。挟持部４６１と上キャップ４３によって回路基板４４０と放熱シート４５が上下に挟み込まれている。これにより、放熱板４６は、放熱シート４５を介して光源ブロック４４の発熱部分となる回路基板４４０に熱的に接続されている。なお、放熱板４６は回路基板４４０との電気的な絶縁状態を維持しながら熱的に接続されるものであれば、回路基板４４０と直接接合されてもよいし、放熱シート４５以外の部材を介して回路基板４４０に接続されるものであってもよい。
【００４３】
放熱板４６の一方の板面である上面は、その全体が回路基板４４０によって遮蔽されない放熱面になっている。また、放熱板４６の他方の板面である下面において、回路基板４４０によって遮蔽されない部分も放熱面になっている。
【００４４】
光源ブロック４４の点光源４４１の発光に伴い、点光源４４１及びこれが実装された回路基板４４０は発熱する。このように光源ブロック４４において発生した熱は、放熱シート４５を介して放熱板４６に伝わり、放熱板４６から放散されるようになっている。
【００４５】
表面カバー４７は縦長であり、その長さはホルダー４０や導光部材４１と略同じである。表面カバー４７は、図４に示されるように、断面形状が後方に開口する溝形に形成されており、前面を構成する前片部４７０と、前片部４７０の両側から後方に突出した掛止片部４７１を有している。
【００４６】
表面カバー４７は、両掛止片部４７１をホルダー４０の前部に掛止することで、導光部材４１の前面を覆うようにホルダー４０に取り付けられている。表面カバー４７は透光性を有し、導光部材４１の出光部４１２から出射された光は表面カバー４７の前片部４７０を透してキャビネット本体３の前側に出射されるようになっている。
【００４７】
図１、図１０等に示される放熱板カバー４８は、例えば放熱板４６よりも熱伝導性の低い合成樹脂等の材料によって形成されている。放熱板カバー４８は、平面視で前後方向に長い略矩形状で下方に開口する箱状に形成されている。放熱板カバー４８は平面視においてキャビネット本体３の上面に形成された凹部３７と略同大同形である。
【００４８】
図１０に示されるように、放熱板カバー４８は、天面部４８０、天面部４８０の前縁部から下方に突出した前面部４８１、天面部４８０の後縁部から下方に突出した後面部４８２、及び天面部４８０の両側の縁部から下方に突出した側面部４８３を有している。
【００４９】
放熱板カバー４８には、天面部４８０、前面部４８１、後面部４８２、及び両側面部４８３で形成された下方に開口する凹所４８５が形成されている。図７に示されるように、放熱板カバー４８は、放熱板４６に被せるように嵌め込まれており、凹所４８５には放熱板４６の略全部が収納されている。なお、図示例の放熱板４６は、下端部のみ凹所４８５から僅かに下方に突出しているが、その全部が凹所４８５に収納されてもよい。
【００５０】
図１０に示されるように、放熱板カバー４８の前面部４８１において放熱板４６の突出部４６０に対応する側端部は、水平断面形状が後方に開口する溝形であって前方に突出した突曲部４８４となっている。突曲部４８４には、放熱板４６の突出部４６０（図１参照）が収納されている。
【００５１】
放熱板カバー４８の各側面部４８３の下縁の前後には、下方に突出する掛止部４８６が形成されている。各掛止部４８６の下部には、放熱板カバー４８の内側方（左右方向の内側）に向かって突出した爪部４８７が形成されている。図６に示されるように、放熱板カバー４８の各掛止部４８６の爪部４８７は、放熱板４６の対応する側縁部の下面に掛止されている。これにより放熱板カバー４８は、放熱板４６に取り付けられている。
【００５２】
図４に示されるように、照明装置４のホルダー４０は、ベース７の収納溝７２に嵌め込まれている。ホルダー４０の後面両側には、後方に突出した引掛片部４０１が形成されている。各引掛片部４０１は、ベース７の対応する側片部７０に形成された突起７３に掛止されている。これにより、ホルダー４０は前方への移動が規制されている。ベース７の各側片部７０には、外側方から固着具としてのビス５１（図５参照）が挿通され、各ビス５１はホルダー４０にねじ込まれている。これによりホルダー４０はベース７に取り付けられている。
【００５３】
図４に示されるように、キャビネット本体３に取り付けられた照明装置４は、ホルダー４０の前部、及びここに配置された導光部材４１の大部分が、キャビネット本体３の天井部３０の前面や底部３１の前面よりも前方に配置されている。
【００５４】
図５に示されるように、キャビネット本体３の凹部３７には、照明装置４の放熱板カバー４８が嵌め込まれており、放熱板カバー４８と放熱板４６は凹部３７に配置されている。
【００５５】
放熱板カバー４８は、前方に突出した突曲部４８４を除く部分が凹部３７に収納され、放熱板４６は突出部４６０を除く部分が凹部３７に収納されている。つまり、放熱板カバー４８及び放熱板４６は略全部が凹部３７に収納されている。
【００５６】
図１に示されるように、放熱板カバー４８の天面部４８０には、左右方向に長く下方に凹んだ凹溝部４８９が前後方向に複数形成されている。各凹溝部４８９の底部には、上下に貫通する連通孔４８８が形成されている。各連通孔４８８は、凹溝部４８９の底部の後縁に沿って設けられた左右に長いスリット状の孔である。各連通孔４８８は、放熱板４６の上方に位置し、放熱板４６で生じた熱は、各連通孔４８８を通じて放熱板カバー４８の上方に排出されるようになっている。
【００５７】
放熱板カバー４８の上面は、図５に示されるように、キャビネット本体３の天井部３０の凹部３７以外の上面よりも僅かに低い位置にある、或いは天井部３０の凹部３７以外の上面と略面一である。このため、放熱板カバー４８は、キャビネット本体３の上面から上方に突出しない。
【００５８】
放熱板カバー４８の突出部４６０を除く前面部４８１は、天井部３０の前面よりもやや後方に位置している、或いは天井部３０の前面と面一である。
【００５９】
図７に示されるように、放熱板４６の下面に掛止された放熱板カバー４８の各掛止部４８６の下端（爪部４８７の下端）は、天井部３０の上面の一部となる凹部３７の底面に当接している、或いは凹部３７の底面の近傍に配置されている。これにより、放熱板４６の下面と凹部３７の底面との間には、放熱板４６の直下に位置する空間１２（隙間）が形成されている。
【００６０】
図６に示されるように、放熱板カバー４８の突出部４６０を除く前面部４８１と、凹部３７の底面の前縁部との間には開口１０が形成されている。放熱板４６の直下の空間１２は、開口１０からキャビネット本体３の外方に開放されており、キャビネット本体３の前方に連通している。このため、放熱板４６で生じた熱は、空間１２から開口１０を経てキャビネット本体３の外部に排出されるようになっている。
【００６１】
図４に示されるように、ベース７の奥片部７１と両側片部７０で構成された収納溝７２内において、収納溝７２に配置された導光部材４１の後側には、通気路５４が形成されている。通気路５４は、収納溝７２の内面とホルダー４０の後面とで囲まれた空間であって、縦長である。通気路５４は収納溝７２の上下方向の略全長に亘って形成されている。
【００６２】
図４や図９に示されるように、ホルダー４０の下端部に設けられた下キャップ４２は、ベース７の奥片部７１よりも隙間５３を介して前方に位置している。通気路５４の下端部は、隙間５３からキャビネット本体３の外方となる下方に開放されており、キャビネット本体３の下方に連通している。このため、通気路５４には、隙間５３からキャビネット本体３の外部に存在する空気が導入されるようになっている。すなわち、隙間５３は通気路５４にキャビネット本体３の外部の空気を取り入れる吸気口となっている。
【００６３】
図７に示されるように、ホルダー４０上に配置された上キャップ４３の後部は、ホルダー４０の上端面よりも隙間５２を介して上方に位置している。通気路５４の上端部は、隙間５２を介して放熱板４６の直下の空間１２に連通している。このため、通気路５４に存在する空気は、通気路５４を上昇した後、隙間５２を介して空間１２に導入され、この後、空間１２から開口１０を介してキャビネット本体３の前方に導出されるようになっている。
【００６４】
図２に示されるように、キャビネット本体３の前面に設けられた各扉６は、前面が鏡面となった鏡扉である。各扉６は、図３に示されるように、キャビネット本体３の収納空間３４毎に設けられている。
【００６５】
各扉６の吊元となる一側端部の上端部と下端部は、蝶番１１を介してキャビネット本体３の天井部３０の前面及び底部３１の前面の夫々に取り付けられている。これにより、各扉６は対応する収納空間３４を閉塞する位置から収納空間３４の前方を開放する位置まで左右に回動自在となっている。キャビネット１の中央の扉６を閉じた状態で、左右の扉６を前側に回動することで、キャビネット本体３に設けられた三枚の扉６を三面鏡として利用できるようになっている。
【００６６】
キャビネット１に設けられた各照明装置４は、点光源４４１を発光させることで導光部材４１からキャビネット１の前側に光を発する。すなわち、点光源４４１から照射された光は、導光部材４１の上端面である入光部４１０から導光部材４１に導入され、この後、導光部材４１の下端側に向かう過程で反射部４１１において拡散して前側に反射する。この光は出光部４１２から前側に出射され、隣り合う扉６の間に位置する表面カバー４７の前片部４７０を透してキャビネット１の前側に照射される。これにより、扉６の前面に設けられた鏡面を利用する利用者は、出光部４１２から出射された光を利用して、化粧や洗面等を行うことができる。
【００６７】
また、このように照明装置４の点光源４４１を発光させたときには、発光ダイオード及びこれが設けられた回路基板４４０が発熱する。この熱は放熱シート４５を介して、キャビネット本体３の外面である上面に設けられた放熱板４６に伝えられ、放熱板４６において放熱されるようになっている。
【００６８】
本実施形態の照明装置４は、回路基板４４０と、この回路基板４４０の下面に設けられた点光源４４１と、導光部材４１とを備え、前記導光部材４１が、縦長で、前面が出光部４１２となり且つ上端部が前記点光源４４１から発せられた光が導入される入光部４１０となり、前記入光部４１０から導入された光を前側に反射して前記出光部４１２から出射するものであり、前記回路基板４４０に沿って設けられて前記回路基板４４０に熱的に接続される放熱部をさらに備え、この放熱部の上面の少なくとも一部が、前記回路基板４４０によって遮蔽されない放熱面とされたことを特徴とする。このため、点光源４４１を発光させることで、点光源４４１から照射された光を導光部材４１の前側に出射して、導光部材４１の前方を照らすことができる。また、この点光源４４１の発光時において点光源４４１や回路基板４４０で発生した熱を放熱部に伝えて放散することができる。また、放熱部の上側を向いた放熱面から放散された熱によって加熱された空気は上昇して放熱部から離れるようにすることができ、放熱部の放熱性を向上することができる。これにより、点光源４４１の発光時に発生する熱によって照明装置に不具合が生じ難くなり、また、照明装置４が設けられた箇所に熱が籠もり難くすることができる。
【００６９】
また、照明装置４は、前記放熱部が前記回路基板４４０の上面に沿って設けられることが好ましい。このようにすることで、放熱部の上面全体を放熱面とすることができ、放熱性を一層向上することができる。
【００７０】
また、前記放熱部が前記回路基板４４０よりも水平方向外側に広げられることが好ましい。このようにすることで、放熱部の放熱面を大きくして放熱性をさらに向上することができる。
【００７１】
また、前記放熱部が平板状に形成されることが好ましい。このようにすることで、放熱部の大型化を抑制しながら、放熱面の面積を大きく確保することができる。
【００７２】
また、前記点光源４４１が発光ダイオードであることが好ましい。このようにすることで、発光ダイオードの発光時に発生した熱を放熱部で放散させることができる。
【００７３】
なお、本実施形態では、放熱部の上面全体を回路基板４４０によって遮蔽されない放熱面としたが、例えば放熱部を回路基板４４０の下面に沿って設けて、この放熱部の上面の一部のみを回路基板４４０によって遮蔽されない放熱面としてもよい。すなわち、放熱部の上面の少なくとも一部が回路基板４４０によって遮蔽されない放熱面とすればよい。また、本実施形態の放熱部は、回路基板４４０よりも水平方向外側に広げられたものであるが、例えば回路基板４４０の上面に沿って設けた放熱部を、平面視において回路基板４４０よりも外側に突出しないようにしてもよい。また、本実施形態の放熱部は平板状の放熱板４６であるが、放熱部の形状は、ブロック状等、その他の形状であってもよい。また、本実施形態の点光源４４１は、発光ダイオードであるが、電球等のその他の光源であってもよい。また、放熱板カバー４８は省略してもよい。
【００７４】
また、本実施形態では、照明装置４をキャビネット１に設けた例について説明したが、照明装置４が設けられる箇所はキャビネット１に限られず、例えば図１２に示されるように浴室に設けてもよい。図１２の例では、照明装置４の放熱板４６よりも下方の部分を浴室のコーナーに設けており、点光源４４１を発光させた際に導光部材４１の前側に出射された光により浴室内を照明できるようになっている。また、放熱板４６は浴室の天井裏に配置してあり、点光源４４１の発光時において、点光源４４１や回路基板４４０で発生した熱は浴室外において放散されるようになっている。なお、図１２の例における照明装置４の基本的な構成は図１に示される照明装置４と同じであるため、詳細な説明は省略する。また、この他、本発明を逸脱しない範囲であれば、設計等に応じて種々の変更が可能である。
【符号の説明】
【００７５】
４１  導光部材
４６  放熱板（放熱部）
４１０  入光部
４１２  出光部
４４０  回路基板
４４１  点光源
【図１】
2014212075.tif 000003
【図２】
2014212075.tif 000004
【図３】
2014212075.tif 000005
【図４】
2014212075.tif 000006
【図５】
2014212075.tif 000007
【図６】
2014212075.tif 000008
【図７】
2014212075.tif 000009
【図８】
2014212075.tif 000010
【図９】
2014212075.tif 000011
【図１０】
2014212075.tif 000012
【図１１】
2014212075.tif 000013
【図１２】
2014212075.tif 000014